(57)【要約】【課題】第１に、コスト面に優れ、第２に、配線や設置の手間も無く、第３に、映像，音声，文字情報を１台の端末で確認でき、第４に、通信量の自動制御により配信エラーも抑制される、リターン映像の配信装置を提案する。【解決手段】配信装置７は、入出力装置９，変換装置１０，配信サーバー１１，無線ＬＡＮ装置１２，端末８等を備えている。そして、放送映像の中継に際し、現在オンエアされている放送映像の送り返し映像であるリターン映像の配信を、無線ＬＡＮにより、各中継スタッフＦが所持する端末８宛に行う。更に、この配信装置７は、リターン映像の配信に加え、リターン音声の配信が可能となっている。端末８を所持する中継スタッフＦ間での連絡用に、文字情報の配信も可能となっている。更に、自動調整手段１３を備えており、端末８への通信負荷が過多とならない様に、通信量を自動制御する。【選択図】図１
2015084478.tif 000002
【特許請求の範囲】
【請求項１】
放送映像を中継する際に使用される配信装置であって、現在オンエアされている放送映像の送り返し映像であるリターン映像を、中継スタッフに同時配信するが、
このリターン映像の配信が、無線ＬＡＮのネットワークにより、各該中継スタッフがそれぞれ所持する端末宛に行われること、を特徴とするリターン映像の配信装置。
【請求項２】
請求項１において、リターン映像の配信に加え、リターン音声の配信も共に可能となっていること、を特徴とするリターン映像の配信装置。
【請求項３】
請求項１において、リターン映像の配信に加え、該端末を所持する該中継スタッフ相互間での情報連絡用に、文字情報の配信も可能となっていること、を特徴とするリターン映像の配信装置。
【請求項４】
請求項１において、該配信装置は、配信されるリターン映像信号を入出力する入出力装置と、該入出力装置から出力されたリターン映像信号を、配信映像信号に変換する変換装置と、
該変換装置で変換された配信映像信号を、ネットワークで配信するための配信サーバーと、該配信サーバーからの配信映像信号を無線ＬＡＮで送信する無線ＬＡＮ装置と、
無線ＬＡＮで送信された配信映像信号を受信し、もってリターン映像を表示して該中継スタッフのモニターに供する該端末と、を有してなること、を特徴とするリターン映像の配信装置。
【請求項５】
請求項１又は２において、更に自動調整手段を備えており、該自動調整手段は、該端末に対する通信負荷が過多とならない様に、通信量を自動制御すること、を特徴とするリターン映像の配信装置。
【請求項６】
請求項４および５において、該自動調整手段は、該配信サーバーの現在の通信量情報に基づき、該変換装置で作成処理される配信映像信号について、映像の画質又は／及びフレームレートを動的に変更し、もって通信量を自動制御すること、を特徴とするリターン映像の配信装置。
【請求項７】
請求項５において、該自動調整手段は、配信音声信号について、１サンプル当りのデータ量又は／及びサンプリングレートを動的に変更し、もって通信量を自動制御すること、を特徴とするリターン映像の配信装置。
【請求項８】
請求項６又は７において、該自動調整手段は、更に、各該端末について各該端末ごとの通信量を自動制御すること、を特徴とするリターン映像の配信装置。
【発明の詳細な説明】
【技術分野】
【０００１】
本発明は、リターン映像の配信装置に関する。すなわち、オンエアされている放送映像の送り返し映像を中継スタッフに配信する、配信装置に関するものである。
【背景技術】
【０００２】
《技術的背景》
例えば、テレビ局のスタジオ１では、図５に示したように、それぞれカメラマンＡにて撮影，操作される各カメラ２から、送信映像信号Ｂが調整室３へと送信される。
そして送信された各映像は、プロデューサーＣにより、場面によって切換，選択されてオンエア使用され、放送映像つまりオンエア映像となる。
【０００３】
《従来技術》
これと共に図３に示したように、現在オンエアされているオンエア映像の送り返し映像であるリターン映像が、各カメラマンＡに対し、配信映像信号Ｄとして配信される。リターン映像の確認により、各カメラマンＡは現在のオンエア映像を確認できる。図中Ｅはサブスタッフであり、カメラマンＡと共に中継スタッフＦを形成する。
そして従来、カメラマンＡ等の中継スタッフＦによるリターン映像の確認は、図３，図４に示した映像モニター４により、行われていた。
すなわち、調整室３に設けられたリターン映像入出力装置５からの配信映像信号Ｄが、有線配線，分岐接続されたケーブル６を介して、それぞれの映像モニター４へと送信されていた。もってオンエア映像のリターン映像が、従来、各カメラマンＡ毎に配設された映像モニター４の表示，視認により、確認されていた。図中Ｇは出演者である。
【先行技術文献】
【特許文献】
【０００４】
このような従来技術としては、例えば、次の特許文献１中に示された映像モニター（ビューファインダ）が、挙げられる。
【特許文献１】特開２００９−０８９１１４号公報
【発明の概要】
【発明が解決しようとする課題】
【０００５】
ところで、このような従来技術については、次の第１，第２の課題が指摘されていた。
第１に、コスト面に問題が指摘されていた。すなわち、オンエア映像，リターン映像確認用の映像モニター４は、１台数万円〜数十万円程度と高額であり、購入コストが嵩むという、指摘があった。
特にａ．通常は複数台使用される各カメラ２毎に、つまりそれぞれのカメラマンＡ毎に、映像モニター４が配設されており、その台数分だけコスト負担が増大する。
ｂ．サブスタッフＥは、カメラマンＡの背後に位置することも多く、場所的に映像モニター４視認の死角となるケースがある。その場合は、映像モニター４の増設も考えられるが、コスト負担増となる。
ｃ．オンエア映像のリターン映像に加え、オンエア音声のリターン音声も視聴，確認する場合は、専用の音声モニターの配設を要し、一段とコスト負担増となる。
ｄ．中継スタッフＦ相互間での情報連絡用に、チャット等を利用する場合もあるが、その場合は、文字情報配信用の端末が必要となる。
ｅ．これらによるコスト負担増は、例えばローカルテレビ局やケーブルテレビ局によっては、大きな問題となっていた。
【０００６】
第２に、配線や設置に手間がかかる、という問題も指摘されていた。すなわち、各映像モニター４更には音声モニターについて、それぞれ調整室３等との間を、ケーブル６にて有線配線，分岐接続することを要する等、設置が面倒であり手間がかかっていた。
【０００７】
《本発明について》
本発明のリターン映像の配信装置は、このような実情に鑑み、上記従来技術の課題を解決すべくなされたものである。
そして本発明は、第１に、コスト面に優れ、第２に、配線や設置の手間も無く、第３に、映像，音声，文字情報を１台の端末で確認でき、第４に、通信量の自動制御により配信エラーも抑制される、リターン映像の配信装置を提案することを、目的とする。
【課題を解決するための手段】
【０００８】
《各請求項について》
このような課題を解決する本発明の技術的手段は、特許請求の範囲に記載したように、次のとおりである。
請求項１については、次のとおり。
請求項１のリターン映像の配信装置は、放送映像を中継する際に使用される。そして、現在オンエアされている放送映像の送り返し映像であるリターン映像を、中継スタッフに同時配信するが、このリターン映像の配信が、無線ＬＡＮのネットワークにより、各該中継スタッフがそれぞれ所持する端末宛に行われること、を特徴とする。
請求項２については、次のとおり。
請求項２のリターン映像の配信装置では、請求項１において、リターン映像の配信に加え、リターン音声の配信も共に可能となっていること、を特徴とする。
請求項３については、次のとおり。
請求項３のリターン映像の配信装置では、請求項１において、リターン映像の配信に加え、該端末を所持する該中継スタッフ相互間での情報連絡用に、文字情報の配信も可能となっていること、を特徴とする。
【０００９】
請求項４については、次のとおり。
請求項４のリターン映像の配信装置は、請求項１において、入出力装置，変換装置，配信サーバー，無線ＬＡＮ装置，端末等を、有してなることを特徴とする。
すなわち該配信装置は、配信されるリターン映像信号を入出力する入出力装置と、該入出力装置から出力されたリターン映像信号を、配信映像信号に変換する変換装置と、該変換装置で変換された配信映像信号を、ネットワークで配信するための配信サーバーと、該配信サーバーからの配信映像信号を無線ＬＡＮで送信する無線ＬＡＮ装置と、無線ＬＡＮで送信された配信映像信号を受信し、もってリターン映像を表示して該中継スタッフのモニターに供する該端末と、を有してなる。
【００１０】
請求項５については、次のとおり。
請求項５のリターン映像の配信装置では、請求項１又は２において、更に自動調整手段を備えている。そして該自動調整手段は、該端末に対する通信負荷が過多とならない様に、通信量を自動制御すること、を特徴とする。
請求項６については、次のとおり。
請求項６のリターン映像の配信装置では、請求項４および５において、該自動調整手段は、該配信サーバーの現在の通信量情報に基づき、該変換装置で作成処理される配信映像信号について、映像の画質又は／及びフレームレートを、動的に変更する。もって通信量を自動制御すること、を特徴とする。
請求項７については、次のとおり。
請求項７のリターン映像の配信装置では、請求項５において、該自動調整手段は、配信音声信号について、１サンプル当りのデータ量又は／及びサンプリングレートを、動的に変更する。もって通信量を自動制御すること、を特徴とする。
請求項８については、次のとおり。
請求項８のリターン映像の配信装置では、請求項６又は７において、該自動調整手段は、更に、各該端末について各該端末ごとの通信量を自動制御すること、を特徴とする。
【００１１】
《作用等について》
本発明は、このような手段よりなるので、次のようになる。
（１）放送映像の中継に際し、各カメラからの映像が調整室等へ送信される。
（２）送信された各映像は、場面毎に切換，選択される。もって、いずれかの映像が、現在のオンエア映像，放送映像となる。
（３）これと共に、オンエア映像のリターン映像が、各カメラマンやサブスタッフ等の中継スタッフに、同時配信される。
（４）このリターン映像の配信が、本発明の配信装置では、無線ＬＡＮにより、各中継スタッフが所持する端末に対して行われる。
（５）そこで配信装置は、映像入出力装置，信号変換装置，配信サーバー，無線ＬＡＮ装置，各端末、更には通信量自動調整手段、等を備えたシステム構成よりなる。
（６）又、この配信装置は、上述したオンエア映像のリターン映像配信に加え、オンエア音声のリターン音声配信も可能である。更に、各中継スタッフ間の連絡用に、文字情報配信も可能である。
（７）さてそこで、本発明の配信装置によると、次のようになる。まず、普及が著しく廉価であるモバイル端末および無線ＬＡＮを用いて、配信を実施するので、コスト面に優れている。
（８）又、配信用にケーブル配線を要しないので、設置に手間取ることもない。
（９）更に中継スタッフは、リターン映像，リターン音声，連絡文字情報等の配信，確認が、無線ＬＡＮ利用により１台の端末で随時可能となる。もって、便利であり効率が良い。
（１０）通信量の自動調整手段により、通信負荷過多が解消され、配信中断や配信遅延も抑制される。
（１１）さてそこで、本発明のリターン映像の配信装置は、次の効果を発揮する。
【発明の効果】
【００１２】
《第１の効果》
第１に、コスト面に優れている。本発明のリターン映像の配信装置では、放送映像の中継に際し、各カメラマンやサブスタッフ等の中継スタッフは、オンエア映像のリターン映像を、端末にて配信，確認する。
中継スタッフは、普及が著しく廉価なモバイル端末を配付，所持することにより、リターン映像を確認可能となる。すなわち、リターン映像確認のため、高額な映像モニターを配設していた前述した従来技術に比し、購入コストが嵩むこともなく、コストが大幅に低減される。
特にａ．複数，多数の端末の配付，所持が考えられると共に、ｂ．サブスタッフへの配信も可能となる。ｃ．オンエア映像のリターン映像に加え、オンエア音声のリターン音声確認も容易であり、専用の音声モニタ配設は不要化される。ｄ．中継スタッフ間での連絡文字情報の配信も、容易に可能である。これらａ，ｂ，ｃ，ｄにより、前述した従来技術に比し、大幅なコスト負担減となる。
【００１３】
《第２の効果》
第２に、配線や設置の手間も無い。本発明のリターン映像の配信装置では、リターン映像の配信やリターン音声の配信が、無線ＬＡＮにより、中継スタッフに配付，所持せしめられた端末宛に行われる。
前述した従来技術のように配線や設置の手間も無く、簡単容易に配信が実現する。
【００１４】
《第３の効果》
第３に、映像，音声，文字情報を、１台の端末で配信，確認できる。本発明のリターン映像の配信装置では、無線ＬＡＮの電波が届く範囲であれば、これらの配信が、中継スタッフがそれぞれ所持する１台のモバイル端末により、同時に配信，確認可能となる。勿論、移動しながらの配信，確認も可能である。
もって中継スタッフにとって、極めて都合が良く，便利であり，効率的である。
【００１５】
《第４の効果》
第４に、通信量の自動制御により、配信エラーも抑制される。本発明のリターン映像の配信装置は、端末に対する通信負荷が過多とならない様、もって通信中断や通信遅延が抑制される様に、通信量を制御する自動制御手段を備えている。
もって、リターン映像やリターン音声の配信が、中断や遅延等のエラー，トラブルなく、実施されるようになる。
このように、この種従来技術に存した課題がすべて解決される等、本発明の発揮する効果は、顕著にして大なるものがある。
【図面の簡単な説明】
【００１６】
【図１】本発明に係るリターン映像の配信装置について、発明を実施するための形態の説明に供し、システムの構成ブロック図である。そして（１）図は、その一例を示し、（２）図は、他の例を示す。
【図２】同発明を実施するための形態の説明に供し、プロック説明図である。そして、スタジオ内でのリターン映像の配信状態を示す。
【図３】従来技術の説明に供し、プロック説明図である。そして、スタジオでのリターン映像の配信状態を示す。
【図４】従来技術の説明に供し、映像モニター等の正面図である。
【図５】スタジオ内での映像信号の送信状態を示す、プロック説明図である。
【発明を実施するための形態】
【００１７】
以下、本発明を実施するための形態について、図面を参照して詳細に説明する。
《本発明の概要》
まず、本発明のリターン映像の配信装置７について、図１，図２を参照して、その概要を説明する。
この配信装置７は、放送映像を中継する際に使用される。そして、現在オンエアされている放送映像の送り返し映像であるリターン映像を、各中継スタッフＦに配信する。そして、このリターン映像の配信が、無線ＬＡＮのネットワークにより、各中継スタッフＦがそれぞれ所持する端末８宛に行われる。
もって配信装置７は、入出力装置９，変換装置１０，配信サーバー１１，無線ＬＡＮ装置１２，端末８等を、備えている。
又、配信装置７は、リターン映像の配信に加え、リターン音声の配信も共に可能となっている。更に、端末８を所持する中継スタッフＦ間での連絡用に、文字情報の配信も可能となっている。更に、自動調整手段１３を備えており、端末８に対する通信負荷が過多とならない様に、通信量を自動制御する。
本発明の概要は、以上のとおり。以下、このような本発明のリターン映像の配信装置７について、更に詳細に説明する。
【００１８】
《放送映像の中継について》
まず、前提となる放送映像の中継について、図５を参照して説明する。例えば、テレビ局やプロダクションのスタジオ１の番組制作現場では、複数台のスタジオカメラ２が、それぞれカメラマンＡによって操作される。そして各カメラ２から、撮影されたそれぞれの送信映像信号Ｂが、スタジオ１に付設された調整室３へと送信される。
もって、各カメラ２から送信されてきた各映像は、調整室３のプロデューサーＣにより、場面毎に切換，選択（チューニング，スイッチング）され、もって、いずれかの映像がオンエア使用されて放送映像となる。
スタジオ１では、調整室３のプロデューサーＣのコントロールのもと、このようにして放送映像が、生中継用や録画収録用に中継される。なおスタジオ１内には、中継スタッフＦであるカメラマンＡと共に、複数のサブスタッフＥがカメラマンＡ付等の中継スタッフＦとして、配置されている。
【００１９】
勿論、放送映像の中継は、上述したスタジオ１内に限らず、スタジオ１外でも行われる。例えば、テレビ中継車が使用され、車輌走行先の中継現場において、車外搬出されたカメラ２に、車載された周辺機材が接続されて、スタジオ１外での放送映像の中継が実施される。
このようなスタジオ１外での中継については、スタジオ１内での中継について前述した所に、ほぼ準じる。調整室３に準じた調整コーナーが、車載された周辺機材周辺に形成され、随行したプロデューサーＣにてコントロールされる。
放送映像の中継については、以上のとおり。
【００２０】
《リターン映像の配信について》
次に、リターン映像の配信について、図１，図２を参照して、説明する。前述したように現在オンエアされている放送映像つまりオンエア映像は、各カメラ２のカメラマンＡやサブスタッフＥ等の中継スタッフＦに対し、リターン映像として、配信映像信号Ｄにより同時配信される。
配信されるリターン映像、つまりオンエア映像の送り返し映像であるリターン映像により、各中継スタッフＦは各々、現在のオンエア映像（自分が撮影した映像、又は他人が撮影した映像）を、随時確認可能となる。もって、現在や事後の撮影操作，カメラワーク等の参考とする。
そして本発明では、このようなリターン映像の配信が、無線ＬＡＮのネットワークにより、各中継スタッフＦがそれぞれ配付されて所持する端末８に対して、行われる。
【００２１】
《配信装置７について》
以下、本発明のリターン映像の配信装置７について、図１，図２を参照して説明する。
配信装置７は、図１の（１）図の例に示したように、入出力装置９，変換装置１０，配信サーバー１１，無線ＬＡＮ装置１２，各端末８等を備えた、システム構成よりなる。更に、図１の（２）図に示した例では、自動調整手段１３を、追加して備えたシステム構成よりなる。
配信装置７は、中継スタッフＦが所持する端末８を除き、例えば、スタジオ１内中継の場合は、調整室３に配設される。スタジオ１外中継の場合は、例えばテレビ中継車に周辺機材として車載される。
【００２２】
配信装置７のシステム構成について、更に詳述する。まず、配信装置７の入出力装置９は、配信されるリターン映像信号を入出力する。このリターン映像の入出力装置９は、オンエア映像のリターン映像信号を入出力し、例えば、チューナーやスイッチャー等の映像切換え装置が用いられる。
配信装置７の変換装置１０は、入出力装置９から出力されたリターン映像信号を、配信映像信号Ｄに変換する。リターン映像信号自体は、非圧縮でありデータ量が大なので、配信用に圧縮された配信映像信号Ｄとする。
すなわち映像変換装置１０は、ダウンコンバーター等の符号化装置よりなり、画質（画素）又は／及びフレームレート（表示速度）を削減して、例えばＪＰＥＧ形式やＭＰＥＧ形式の配信映像信号Ｄに、映像変換する。
配信装置７の配信サーバー１１は、映像変換装置１０で変換された配信映像信号Ｄをネットワークで配信するための、ホストコンピュータよりなる。なお、映像変換装置１０と配信サーバ１１は、１つの装置で実現することも可能である。
配信装置７の無線ＬＡＮ装置１２は、配信サーバー１１からの配信映像信号Ｄを、無線ＬＡＮの情報通信ネットワークにより、端末８宛に電波にて送信する。
【００２３】
配信装置７の端末８については、次のとおり。この端末８としては、携帯情報端末（ＰＤＡ），その他各種のモバイル端末が広く使用可能であり、中継スタッフＦが、それぞれ配付を受けて所持する。
そして、無線ＬＡＮで送信された配信映像信号Ｄを受信し、もってリターン映像つまり現在のオンエア映像を表示して、中継スタッフＦのモニタリングに供する。
ところで、このような端末８について、配付を受けて所持する配付対象の中継スタッフＦについては、次の通り。例えば、カメラマンＡ全員とサブスタッフＥ全員に配付でもよいが、カメラマンＡ全員と選ばれたサブスタッフＥへの配付も、可能である。
更には、カメラマンＡについては、従来技術の映像モニター４が配付，配設されると共に、サブスタッフＥについて、端末８の配付が検討されることも、可能である。又、カメラマンＡとサブスタッフＥのそれぞれについて、個別に配付の要否が検討されることも考えられる。
端末８については、その他各種の配付ケースが可能である。そして本発明は、これらいずれの配付ケースについても、適用可能である。
【００２４】
配信装置７は、上述したオンエア（ビデオ）映像のリターン映像配信に加え、オンエア映像と共にオンエア（オーディオ）音声のリターン音声配信も、可能となっている。複数のマイクロフォンから送信された音声のうち、オンエア使用される音声の端末８への配信も、可能である。
更に配信装置７は、端末８を所持する各中継スタッフＦ相互間での情報連絡，やり取り用に、文字データ情報の端末８配信も、可能となっている。
このようなリターン音声配信用や文字情報配信用のシステム構成については、リターン映像配信について上述したシステム構成に準じる。すなわち、上述した入出力装置９，変換装置１０，配信サーバー１１，無線ＬＡＮ装置１２，端末８等が、準用又は兼用して使用される（例えば、音声切換用ミキサーが使用される）。
配信装置７については、以上のとおり。
【００２５】
《自動調整手段１３について》
次に、配信装置７に付設された自動調整手段１３について、図１の（２）図に示した例を参照して、説明する。
自動調整手段１３は、端末８に対する通信負荷が過多とならない様に、配信通信量を自動制御する。代表的にはプログラムソフトとして、配信サーバー１１のホストコンピュータ又は別途専用のコンピュータに、組み込まれており、そのＣＰＵに必要制御処理を実行せしめる。
もって自動調整手段１３は、配信映像信号Ｄや配信音声信号Ｄ’の通信，配信が、中断や遅延しない様にサポートする。
【００２６】
自動調整手段１３による具体的制御内容は、次のイ，ロ，ハのとおり。まずイ．配信映像信号Ｄの制御については、次のとおり。
自動調整手段１３は、配信サーバー１１の現在の通信量情報に基づき、変換装置１０で作成処理される配信映像信号Ｄについて、映像の画質又は／及びフレームレートを動的に変更し、もって、映像に関する通信量を自動制御する。
その具体的制御ステップは、次のとおり。まず、配信サーバー１１における現在の通信量が、自動調整手段１３に逐時検出，入力され、→自動調整手段１３は、通信量が所定許容値をオーバーしたら、通信負荷過多と判断する。
→すると自動調整手段１３は、変換装置１０に制御信号を送出し、→変換装置１０は、映像変換にて作成処理される配信映像信号Ｄについて、映像の画質（画素）やフレームレート（１秒間の表示速度）の一方又は双方を、変更する。→もって、端末８への配信映像信号Ｄの通信量が、自動的に適値まで減少，調整される。
【００２７】
次にロ．配信音声信号Ｄ’の制御については、次のとおり。自動調整手段１３は、配信音声信号Ｄ’について、１サンプル当りのデータ量又は／及びサンプリングレートを動的に変更し、もって音声に関する通信量を自動制御する。その具体的制御ステップについては、配信映像信号Ｄについて上述した所に準じる。
更にハ．端末８ごとの制御については、次のとおり。自動調整手段１３は、各端末８について各端末８ごとの通信量を、自動制御する。すなわち、各端末８毎に異なる通信の難易度に応じ、端末８ごとの通信量を調整する。その具体的制御ステップについては、上述した所にほぼ準じる。
自動調整手段１３については、以上のとおり。
【００２８】
《作用等》
本発明のリターン映像の配信装置７は、以上説明したように構成されている。そこで、以下のようになる。
（１）放送映像の中継に際し、スタジオ１等の各カメラ２で撮影された映像について、それぞれの送信映像信号Ｂが、調整室３等へと送信される（図５を参照）。
【００２９】
（２）調整室３等では、送信されてきた各映像が場面毎に切換，選択される。もって、いずれかの映像が、現在のオンエア映像，放送映像となる。
【００３０】
（３）これと共に、このようなオンエア映像のリターン映像（現在オンエアされている放送映像の送り返し映像）が、調整室３等から、各カメラマンＡやサブスタッフＥ等の中継スタッフＦに対し、配信映像信号Ｄとして同時配信される（図２を参照）。
【００３１】
（４）このようなリターン映像の配信が、本発明の配信装置７では、無線ＬＡＮのネットワークにより、各中継スタッフＦがそれぞれ所持する端末８に対して、実施される（図２を参照）。
【００３２】
（５）配信装置７は、このような端末８に対する配信を行うため、次のシステム構成よりなる。
すなわち、リターン映像の入出力装置９、配信映像信号Ｄへの変換装置１０、ネットワーク配信用の配信サーバー１１、端末８宛の無線ＬＡＮ装置１２、リターン映像を表示する各端末８等、を備えたシステム構成よりなる（図１の（１）図の例を参照）。
更に、端末８への通信負荷が過多とならないための、通信量の自動調整手段１３を備えたシステム構成も、可能である（図１の（２）図の例を参照）。
【００３３】
（６）この配信装置７は、上述したオンエア映像のリターン映像の配信に加え、オンエア音声のリターン音声の配信も、配信音声信号Ｄ’により可能となっている（図２を参照）。更に、端末８を所持する各中継スタッフＦ相互間の連絡用に、文字データ情報の配信も、可能となっている。
【００３４】
（７）さてそこで、本発明のリターン映像の配信装置７によると、以下のようになる。
まず、リターン映像，リターン音声，連絡文字情報等の配信が、普及が著しく廉価であるモバイル端末８および無線ＬＡＮを使用して、実施される（図２を参照）。
高額な映像モニター４（図３，図４を参照）や音声モニター等を配設，使用することなく、コスト面に優れて実施される。
【００３５】
（８）又、本発明の配信装置７では、配信が無線ＬＡＮにより端末８宛に行われる（図２を参照）。映像モニター４や音声モニターを使用して配信する場合のように（図３，図４を参照）、ケーブル６配線を要し、設置に手間取るようなことも無い。
つまり、配信用の各映像モニター４更には各音声モニターと、スタジオ１の調整室３との間を、それぞれケーブル６にて有線配線，分岐接続する手間は、不要である。
【００３６】
（９）更に、本発明の配信装置７では、オンエア映像のリターン映像配信に加え、オンエア音声のリターン音声配信、更には、中継スタッフＦ相互間での連絡文字情報配信等が、無線ＬＡＮにより実施される。
そこで中継スタッフＦは、１台の端末８により、これらの配信，確認が随時可能となり、便利であり効率が良い。勿論、移動しながらの確認も可能である。
【００３７】
（１０）又、本発明の配信装置７は、端末８に対する通信負荷が過多とならない様に、通信量を制御する自動調整手段１３を、備えている（図１の（２）図の例を参照）。
従って、無線ＬＡＮにて端末８へと配信される、配信映像信号Ｄ，配信音声信号Ｄ’，文字情報信号等が、通信負荷過多により中断したり遅延したりすることは、抑制される。
本発明の作用等については、以上の通り。
【符号の説明】
【００３８】
Ａ    カメラマン
Ｂ    カメラからの送信映像信号
Ｃ    プロデューサー
Ｄ    リターン映像の配信映像信号
Ｄ’  リターン音声の配信音声信号
Ｅ    サブスタッフ
Ｆ    中継スタッフ
Ｇ    出演者
１    スタジオ
２    カメラ
３    調整室
４    映像モニター
５    入出力装置（従来例）
６    ケーブル
７    リターン映像の配信装置
８    端末
９    入出力装置（本発明）
１０  変換装置
１１  配信サーバー
１２  無線ＬＡＮ装置
１３  自動調整手段
【図１】
2015084478.tif 000003
【図２】
2015084478.tif 000004
【図３】
2015084478.tif 000005
【図４】
2015084478.tif 000006
【図５】
2015084478.tif 000007